(57)【要約】【課題】使用者が手を掛けて移動操作するときに、付加機能部品の固定点に脱落方向のモーメントの作用しにくい椅子を提供する。【解決手段】背凭れ５に、後方から把持可能な上辺部１２Ａａを設ける。付加機能部品であるヘッドレスト６０Ａには、取付基部６０Ａａと、ヘッドレスト本体部６０Ａｂと、取付基部６０Ａａとヘッドレスト本体部６０Ａｂの左右の端部同士を連結する一対の連結支柱部６０Ａｃを設ける。取付基部６０Ａａとヘッドレスト本体部６０Ａｂの幅方向中央領域間に手指挿入口６２を形成する。付加機能部品であるハンガー６０Ｂには、取付基部６０Ｂａと、ハンガー本体部６０Ｂｂと、取付基部６０Ｂａとハンガー本体部６０Ｂｂの左右の端部同士を連結する一対の連結支柱部６０Ｂｃを設ける。取付基部６０Ｂａとハンガー本体部６０Ｂｂの幅方向中央領域間に手指挿入口６３を形成する。【選択図】図７
2015217049.tif 000002
【特許請求の範囲】
【請求項１】
着座者の背部を支持する背凭れと、前記背凭れに脱着可能に取り付けられる付加機能部品と、を備えた椅子において、
前記背凭れは、後方から把持可能な上辺部を備え、
前記付加機能部品は、
前記背凭れの上辺部の後面側に取り付けられる取付基部と、
前記背凭れに追加機能を付加する付加機能部品本体部と、
前記取付基部と前記付加機能部品本体部の幅方向の中央領域間に、前後方向に貫通する手指挿入口を形成するように前記取付基部と前記付加機能部品本体部を連結する一対の連結支柱部と、を備えていることを特徴する椅子。
【請求項２】
前記付加機能部品を複数備え、
複数の前記付加機能部品は、前記取付基部同士を前後に重ね合せて相互に結合可能とされていることを特徴とする請求項１に記載の椅子。
【請求項３】
前記付加機能部品の前記取付基部は、当該取付基部の上面が前記背凭れの前記上辺部の上面と略同一高さになるように、前記上辺部に取り付けられていることを特徴とする請求項１または２に記載の椅子。
【請求項４】
前記背凭れは、上部に幅方向に延出する横梁を有し、前記上辺部は当該横梁によって構成されていることを特徴とする請求項１〜３のいずれか１項に記載の椅子。
【請求項５】
前記背凭れは、前記横梁を含む枠状の強度部材と、前記強度部材に取り付けられて着座者の背部から荷重を受ける背受け板と、を有し、
前記背受け板と前記横梁の間には、前記横梁を前記上辺部として把持する際に使用者の指先の挿入を許容する挿入許容空間が設けられていることを特徴とする請求項４に記載の椅子。
【発明の詳細な説明】
【技術分野】
【０００１】
この発明は、ヘッドレストやハンガー等の付加機能部品が背凭れに取り付けられる椅子に関するものである。
【背景技術】
【０００２】
事務用等として用いられる椅子は、脚柱の上部に支基が取り付けられ、その支基に着座者の臀部を支持する座と、着座者の背部を支持する背凭れと、が取り付けられている。
また、この種の椅子として、背凭れの上部にヘッドレストやハンガー等の付加機能部品が取り付けられるものが知られている（例えば特許文献１参照）。
【０００３】
特許文献１に記載の椅子は、背凭れの上端側の横梁部の後面に第１の付加機能部品であるヘッドレストの基部が重ねられ、さらにヘッドレストの基部の後面に第２の付加機能部品であるハンガーの基部が重ねられ、その状態でハンガーとヘッドレストの各基部が背凭れの横梁部にボルト締結によって固定されている。
【先行技術文献】
【特許文献】
【０００４】
【特許文献１】特開２０１４−８３１２８号公報
【発明の概要】
【発明が解決しようとする課題】
【０００５】
上記従来の椅子においては、背凭れの上部の幅方向中央領域に付加機能部品が上方に起立するように取り付けられているため、椅子の使用者が当該椅子に手を掛けて移動させようとしたときに、付加機能部品を把持してしまうことが考えられる。即ち、上記従来の椅子の場合、背凭れの上部の幅方向中央領域の後部側が付加機能部品によって塞がれているため、椅子の後方側には適切な把持部分がなく使用者は付加機能部品を把持せざるを得なくなる。
【０００６】
しかし、多くの付加機能部品は背凭れの上部から上方側に突出することになるため、付加機能部品に手を掛けて椅子を移動させることは、背凭れと付加機能部品との固定点に脱落方向のモーメントを作用させることになる。このため、椅子の移動操作時に付加機能部品の固定点から離間した部位が把持されることは好ましくない。
【０００７】
そこでこの発明は、使用者が手を掛けて移動操作するときに、付加機能部品の固定点に脱落方向のモーメントの作用しにくい椅子を提供しようとするものである。
【課題を解決するための手段】
【０００８】
この発明に係る椅子は、上記課題を解決するために、着座者の背部を支持する背凭れと、前記背凭れに脱着可能に取り付けられる付加機能部品と、を備えた椅子において、前記背凭れは、後方から把持可能な上辺部を備え、前記付加機能部品は、前記背凭れの上辺部の後面側に取り付けられる取付基部と、前記背凭れに追加機能を付加する付加機能部品本体部と、前記取付基部と前記付加機能部品本体部の幅方向の中央領域間に、前後方向に貫通する手指挿入口を形成するように前記取付基部と前記付加機能部品本体部を連結する一対の連結支柱部と、を備えるようにした。
【０００９】
これにより、付加機能部品が背凭れの上辺部に取り付けられた状態において、作業者が椅子に手を掛けて移動させるときには、作業者は、後方側から付加機能部品の手指挿入口に手を挿し込み、付加機能部品の取付基部と背凭れの上辺部とを合わせて把持することができる。
【００１０】
前記付加機能部品を複数備え、複数の前記付加機能部品は、前記取付基部同士を前後に重ね合せて相互に結合可能な構造としても良い。
この場合、複数の付加機能部品の取付基部同士を前後に重ね合せて相互に連結すると、複数の付加機能部品の手指挿入口に手を挿し込んで、複数の付加機能部品の取付基部と背凭れの上辺部とを合わせて把持することが可能になる。
【００１１】
前記付加機能部品の前記取付基部は、当該取付基部の上面が前記背凭れの前記上辺部の上面と略同一高さになるように、前記上辺部に取り付けられるようにしても良い。
この場合、付加機能部品の取付基部の上面と、背凭れの上辺部の上面との間に大きな段差が生じなくなる。この結果、付加機能部品の取付基部と背凭れの上辺部とを合わせて把持し易くなる。
【００１２】
前記背凭れは、上部に幅方向に延出する横梁を有し、前記上辺部は当該横梁によって構成されるようにしても良い。
この場合、強度の高い横梁を付加機能部品の取付基部とともに容易に、かつ安定的に把持することができる。
【００１３】
前記背凭れは、前記横梁を含む枠状の強度部材と、前記強度部材に取り付けられて着座者の背部から荷重を受ける背受け板と、を有し、前記背受け板と前記横梁の間には、前記横梁を前記上辺部として把持する際に使用者の指先の挿入を許容する挿入許容空間が設けられるようにしても良い。
この場合、横梁を付加機能部品の取付基部とともに把持するときに、背受け板と横梁の間の挿入許容空間に作業者の指先を挿入することができる。したがって、横梁に特別な加工を施すことなく、横梁と付加機能部品の取付基部とをより握り易くすることができる。
【発明の効果】
【００１４】
この発明によれば、付加機能部品が背凭れの上辺部に取り付けられた状態において、作業者が後方側から付加機能部品の手指挿入口に手を挿し込み、付加機能部品の取付基部と背凭れの上辺部とを合わせて把持することができるため、使用者が手を掛けて移動操作するときに、付加機能部品の固定点に脱落方向のモーメントを作用しにくくすることができる。
【図面の簡単な説明】
【００１５】
【図１】この発明の一実施形態に係る椅子の右側面図である。
【図２】この発明の一実施形態に係る椅子の背面図である。
【図３】この発明の一実施形態に係る椅子の図２のＩＩＩ−ＩＩＩ断面に対応する断面図である。
【図４】この発明の一実施形態に係る椅子の背凭れを後部上方側から見た斜視図である。
【図５】この発明の一実施形態に係る椅子を、背凭れに付加機能部品を取り付けた状態で後部下方側から見た斜視図である。
【図６】この発明の一実施形態に係る椅子の図５のＶＩ−ＶＩ断面に対応する断面図である。
【図７】この発明の一実施形態に係る椅子の背凭れに付加機能部品を取り付けた状態での部分断面斜視図である。
【図８】この発明の一実施形態に係る椅子の背凭れに付加機能部品を取り付けた状態での斜視図である。
【図９】この発明の一実施形態に係る椅子の背凭れに付加機能部品を取り付けた状態での斜視図である。
【図１０】この発明の一実施形態に係る椅子の背凭れに付加機能部品を取り付けた状態での斜視図である。
【図１１】この発明の一実施形態に係る椅子の背凭れに付加機能部品を取り付けた状態での部分断面斜視図である。
【発明を実施するための形態】
【００１６】
以下、この発明の一実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１７】
図１は、この実施形態に係る椅子１の右側面を示す図であり、図２は、椅子１の背面を示す図である。また、図３は、椅子１の図２のＩＩ−ＩＩ断面に対応する縦断面図である。
これらの図に示すように、この実施形態に係る椅子１は、フロア上に載置される脚部２と、脚部２の上端に設置されるボックス状の支基３と、支基３の上面側に取り付けられて着座者の臀部を支持する座４と、座４の後方側に配置されて着座者の背部を支持する背凭れ５と、支基３と背凭れ５を連結する背凭れ連結部材である連結ステー６と、座４の下面側の左右の両側部から座４の上方側に延出し、着座者の肘や腕先が載せ置かれる肘掛け７と、を備えている。
【００１８】
脚部２は、キャスタ９ａ付きの多岐脚９と、多岐脚９の中央部より起立し昇降機構であるガススプリングを内蔵する脚柱１０と、を備え、脚柱１０の上端部に支基３が水平方向に回転可能に取り付けられている。支基３には、脚柱１０の昇降調整機構と背凭れ５の傾動調整機構が内蔵されている。
【００１９】
図４は、背凭れ５を後部上方側から見た斜視図である。
背凭れ５は、図１〜図４に示すように、着座者の背部から荷重を受ける背受け板である背板１１と、背板１１の背部に取り付けられ、着座者の荷重を支持する強度を有する強度部材である背凭れフレーム１２と、を備えている。
【００２０】
背板１１は、樹脂材料によって正面視が縦長の略矩形形状に形成されている。また、背板１１は、着座者の腰部に対応する位置（下から三分の一程度上方に上がった位置）が最も前方側に膨出するように上下方向に沿って湾曲して形成されている。背板１１は、上縁部１１ａ及び下縁部１１ｂと、左右両側の側縁部１１ｃ，１１ｄを残し、中央領域に所定パターンの複数の長孔が形成されている。背板１１は、この複数の長孔により、着座者の背部から荷重が入力されたときに中央領域の柔軟な変形を許容する。
【００２１】
また、背板１１は、略上半部の左右幅が略下半部の左右幅よりも広く形成され、略上半部の左右の側辺は略平行となって形成されている。背板１１の略上半部側の左右の側縁部１１ｃ，１１ｄには、背凭れフレーム１２と連結するための複数の嵌合係合部（図示せず）が形成されている。背板１１の左右の側縁部１１ｃ，１１ｄの略上半部領域には、上記の嵌合係合部よりも幅方向外側位置から後方側に向かって屈曲する側部遮蔽壁１７が設けられている。
【００２２】
背板１１の下縁部１１ｂの幅方向の中央部には、図３に示すように、後方側に半球状に膨出するボス部１８が一体に形成されている。このボス部１８の前面側には、背板１１の前面側の荷重受け面の一般部に対して凹状に窪む窪み部１９が設けられている。ボス部１８には前後方向に貫通するボルト挿通孔２０が形成され、ボルト挿通孔２０の窪み部１９側に寄った位置にはナット２１が埋設されている。
【００２３】
背凭れフレーム１２は、正面視が下向きの略五角形状の枠状フレーム部１２Ａと、枠状フレーム部１２Ａの下端から下方に延出した後に前方側に湾曲して延びる連結フレーム部１２Ｂと、を備えている。
【００２４】
枠状フレーム部１２Ａの左右の側辺部１２Ａｃ，１２Ａｄは、相互に略平行となるように上下方向に沿って延出している。この側辺部１２Ａｃ，１２Ａｄは、背板１１の略上半部の左右の側縁部１１ｃ，１１ｄの後面に対向して配置される。左右の側辺部１２Ａｃ，１２Ａｄの上端部同士は、背凭れフレーム１２の上部側の横梁を成す上辺部１２Ａａによって連結されている。
【００２５】
上辺部１２Ａａは、側辺部１２Ａｃ，１２Ａｄに連結される左右の端部に対し、中央領域が後方側に凹状に湾曲している。上辺部１２Ａａの幅方向の中央領域の後面には、後に詳述するヘッドレスト６０Ａやハンガー６０Ｂ（図５〜図１１参照）等の付加機能部品を取り付けるための凹部２２が設けられている。この凹部２２は、付加機能部品を用いないときには蓋部材２３によって閉塞されている。なお、図１〜図４は、付加機能部品を用いないときの状態が示されている。
【００２６】
また、枠状フレーム部１２Ａの左右の側辺部１２Ａｃ，１２Ａｄの上端側の各前面には、背板１１の略上半部の嵌合係合部と嵌合される図示しない嵌合係合部が設けられている。背凭れフレーム１２の略上半部（枠状フレーム部１２Ａ）は、左右の側辺部１２Ａｃ，１２Ａｄが上記の嵌合係合部を介して背板１１の略上半部に連結される。このとき、中央領域が後方側に凹状に湾曲している枠状フレーム部１２Ａの上辺部１２Ａａと、背板１１の上縁部１１ａの後面との間には、作業者が指先を上方側から上辺部１２Ａａの前面に回り込ませて挿入することのできる挿入許容空間６５が形成される。したがって、枠状フレーム部１２Ａの上辺部１２Ａａは、椅子１の後方側から手を掛けて指先（第２指〜第５指）を挿入許容空間６５に挿入し、順手握りまたは逆手握りによって把持することができる。
【００２７】
また、連結フレーム部１２Ｂは、枠状フレーム部１２Ａの下端から下方に延出する後部壁３０と、後部壁３０の下端から前方側に湾曲して延出する下部支持壁３４と、を有している。後部壁３０の底部の前方側には、図３に示すように、上下方向と左右方向に延出する複数のリブ（符号省略）によって補強された連結ブロック２７が連設されている。連結ブロック２７の幅方向中央領域には、後部壁３０の底部側との間に後述する連結ステー６の上方延出部４０を収容配置するための収容空間４１が形成されている。また、連結ブロック２７の収容空間４１の前方側には、上下方向に板状に延出する前部支持壁２８が設けられている。
【００２８】
連結ブロック２７の前部支持壁２８には、図３に示すように、上下に離間してボルト挿通部（符号省略）が設けられ、上方側のボルト挿通部にはナット３２が埋設されている。前部支持壁２８の前面のうちの、下方側のボルト挿通部の延長上位置には、背板１１の下縁部１１ｂのボス部１８が嵌入される半球状の凹部（符号省略）が形成されている。
【００２９】
一方、連結ステー６は、上方側に開口する略コ字状の金属製の前部プレート６Ａと、この前部プレート６Ａの上面に結合された金属製の肉厚の後部片６Ｂと、を備えている。前部プレート６Ａは左右一対の側壁が前方側に向かって延出し、これらの側壁が支基３内に挿入され、支基３内の図示しない傾動機構に連結されている。後部片６Ｂには、その後端部から上方側に屈曲して延出する前述の上方延出部４０が形成されている。
【００３０】
ここで、背凭れフレーム１２の下縁の下部支持壁３４は、連結ステー６の前部プレート６Ａの下面に沿うように前方に延出し、前部プレート６Ａの下面に当接している。下部支持壁３４は、この状態において、前部プレート６Ａとベース部４４の重ね合わせ部に対して下方から左右２本のボルト４９，４９によって締結固定されている。
【００３１】
また、背凭れフレーム１２の前部支持壁２８は、図３に示すように、連結ステー６の上方延出部４０が収容空間４１に収容配置された状態において、当該上方延出部４０の前面に沿って延出している。そして、前部支持壁２８は、上方延出部４０の前面に当接した状態において、上下２本のボルト５０，５１によって上方延出部４０に締結固定されている。上方側のボルト５０は、上方延出部４０に埋設されたナット３２に螺合され、下方側のボルト５１は、上方延出部４０と背板１１を貫通し、当該背板１１に埋設されたナット２１に螺合される。
なお、図中符号５２は、ボルト５０，５１の締結作業を行うために背凭れフレーム１２の後部壁３０に形成された作業孔であり、符号５３は、作業孔５２を閉塞する閉塞部材である。
【００３２】
図５〜図８は、背凭れフレーム１２の上辺部１２Ａａに付加機能部品であるヘッドレスト６０Ａ（第１の付加機能部品）とハンガー６０Ｂ（第２の付加機能部品）を取り付けた状態を示す図である。
これらの図に示すように、ヘッドレスト６０Ａは、背凭れフレーム１２の上辺部１２Ａａに取り付けられる横長の矩形板状の取付基部６０Ａａと、背凭れ５の上部から上方に張り出して着座者の頭部を後方側から支持するヘッドレスト本体部６０Ａｂ（付加機能部品本体部）と、取付基部６０Ａａの左右の両端部から若干前方に傾斜しつつ上方に延出し、取付基部６０Ａａとヘッドレスト本体部６０Ａｂの左右の端部同士を連結する一対の連結支柱部６０Ａｃ，６０Ａｃと、を備えている。そして、取付基部６０Ａａとヘッドレスト本体部６０Ａｂの幅方向の中央領域間には、左右の連結支柱部６０Ａｃ，６０Ａｃに囲まれて、前後方向に貫通する手指挿入口６２が形成されている。手指挿入口６２は、図８に示すように、背凭れ５の後方側から作業者の少なくとも手の甲と指先を挿入し得るように形成されている。
【００３３】
また、ハンガー６０Ｂは、背凭れフレーム１２の上辺部１２Ａａに取り付けられる横長の矩形板状の取付基部６０Ｂａと、背凭れ５の上部側で左右の側方に張り出して、上着等の着衣を掛けて保持することのできるハンガー本体部６０Ｂｂ（付加機能部品本体部）と、取付基部６０Ｂａの左右の両端部から上部後方に傾斜して延出し、取付基部６０Ｂａとハンガー本体部６０Ｂｂの左右の端部同士を連結する一対の連結支柱部６０Ｂｃ，６０Ｂｃと、を備えている。取付基部６０Ｂａとハンガー本体部６０Ｂｂの幅方向の中央領域間には、左右の連結支柱部６０Ｂｃ，６０Ｂｃに囲まれて、前後方向に貫通する手指挿入口６３が形成されている。手指挿入口６３は、ヘッドレスト６０Ａの手指挿入口６２と同様に、背凭れ５の後方側から作業者の少なくとも手の甲と指先を挿入し得るように形成されている。
【００３４】
ここで、ヘッドレスト６０Ａとハンガー６０Ｂの取付基部６０Ａａ，６０Ｂａは、図６に示すようにほぼ同形状に形成され、いずれも背凭れフレーム１２の上辺部１２Ａａの凹部２２と嵌合可能な凸部６６Ａ，６６Ｂが前面側に設けられるとともに、ボルト挿通孔６７を有する一対のボス部６８Ａ，６８Ａ、６８Ｂ，６８Ｂが長手方向に離間して設けられている。各ボス部６８Ａ，６８Ｂのボルト挿通孔７８には、取付基部６０Ａａ，６０Ｂａを上辺部１２Ａａに締結固定するためのボルト６９が挿入されるようになっている。また、取付基部６０Ａａ，６０Ｂａの後面側には、上辺部１２Ａａの凹部２２とほぼ同サイズ、同形状の凹部７０Ａ，７０Ｂが設けられている。
【００３５】
この実施形態の図５〜図８に示す例の場合、背凭れ５の上辺部１２Ａａの凹部２２にはヘッドレスト６０Ａの取付基部６０Ａａの凸部６６Ａが嵌入され、ヘッドレスト６０Ａの取付基部６０Ａａの凹部７０Ａには、ハンガー６０Ｂの取付基部６０Ｂａの凸部６６Ｂが嵌入されている。そして、ハンガー６０Ｂとヘッドレスト６０Ａの基部６０Ｂａ，６０Ａａは相互に重ねられた状態で背凭れ５側の上辺部１２Ａａにボルト６９によって締結固定されている。
取付基部６０Ｂａ，６０Ａａの上面は、こうして取付基部６０Ｂａ，６０Ａａが上辺部１２Ａａの後面側に取り付けられた状態において、図７に示すように、上辺部１２Ａａの上面とほぼ同一高さになるようになっている。また、ハンガー６０Ｂの取付基部６０Ｂａの凹部７０Ｂは、蓋部材５３が嵌入されることによって閉塞されている。
なお、背凭れ５の上辺部１２Ａａの前面には、図６に示すように、ねじ孔を有する金属製の固定プレート７１が短軸のボルト７２によって締結固定されており、ハンガー６０Ｂやヘッドレスト６０Ａを上辺部１２Ａａに固定するためのボルト６９は、上辺部１２Ａａを貫通した状態で固定プレート７１に締結されている。
【００３６】
次に、こうして背凭れ５の上辺部１２Ａａにヘッドレスト６０Ａとハンガー６０Ｂが重ねられて取り付けられた椅子１を作業者が手で把持して移動操作するときの作業者の動作について説明する。
作業者は、図８に示すように、まず、椅子１の背凭れ５の後方側からハンガー６０Ｂとヘッドレスト６０Ａの手指挿入口６３，６２に手を差し込む。この状態から、作業者は、ハンガー６０Ｂとヘッドレスト６０Ａの取付基部６０Ｂａ，６０Ａａと背凭れ５の上辺部１２Ａａの上面に手の平を上方から載せ置き、第２指から第５指の指先を挿入許容空間６５に挿入するとともに、第１指を後部下方側から取付基部６０Ｂａ，６０Ａａや上辺部１２Ａａの下面に掛け、取付基部６０Ｂａ，６０Ａａと上辺部１２Ａａを合せて順手で把持する。作業者は、こうして取付基部６０Ｂａ，６０Ａａと上辺部１２Ａａを合せて把持した状態において、キャスタ９ａを床面上で滑らせる等して所望の位置まで移動させる。
【００３７】
以上のように、この実施形態に係る椅子１は、ハンガー６０Ｂとヘッドレスト６０Ａが背凭れ５の上辺部１２Ａａに取り付けられた状態において、作業者が後方側からハンガー６０Ｂとヘッドレスト６０Ａの手指挿入口６３，６２に手を差し込み、ハンガー６０Ｂとヘッドレスト６０Ａの取付基部６０Ｂａ，６０Ａａと上辺部１２Ａａとを合わせて把持することができるため、使用者が手を掛けて移動操作するときに、ハンガー６０Ｂやヘッドレスト６０Ａの固定点に脱落方向の大きなモーメントが作用しなくなる。したがって、移動操作時にハンガー６０Ｂやヘッドレスト６０Ａの固定部にガタ付き等が生じるのを未然に防止することができる。
また、特にこの椅子１においては、ハンガー６０Ｂとヘッドレスト６０Ａの幅方向の中央領域間に手指挿入口６３，６２が形成されているため、背凭れ５の上辺部１２Ａａの幅方向中央領域を把持でき、椅子１をバランス良く把持して移動操作を行うことができる、という利点がある。
【００３８】
また、この実施形態に係る椅子１においては、ハンガー６０Ｂやヘッドレスト６０Ａの取付基部６０Ｂａ，６０Ａａの上面高さと背凭れ５の上辺部１２Ａａの上面高さが略同一高さになるように、ハンガー６０Ｂとヘッドレスト６０Ａの取付基部６０Ｂａ，６０Ａａが上辺部１２Ａａに取り付けられているため、ハンガー６０Ｂ及びヘッドレスト６０Ａの取付基部６０Ｂａ，６０Ａａの上面と、背凭れ５の上辺部１２Ａａとの間に大きな段差が生じなくなる。したがって、この実施形態の場合、作業者が取付基部６０Ｂａ，６０Ａａと上辺部１２Ａａとを合わせて容易に、かつ違和感なく把持することができる。
【００３９】
また、この実施形態に係る椅子１では、背凭れ５の上辺部１２Ａａが、背凭れフレーム１２の上部で幅方向に延出する横梁部分によって構成されているため、椅子１の移動操作時には、ハンガー６０Ｂやヘッドレスト６０Ａの取付基部６０Ｂａ，６０Ａａを背凭れフレーム１２の上部の強度の高い横梁部分とともに把持することができる。したがって、この椅子１の構造を採用した場合には、椅子１の移動操作を容易に、かつ安定的に行うことができる。
【００４０】
さらに、この実施形態に係る椅子１においては、背凭れ５が強度部材である背凭れフレーム１２と、背凭れフレーム１２に取り付けられて着座者の背部から荷重を受ける背板１１と、を有し、背凭れフレーム１２の上部の横梁である上辺部１２Ａａと背板１１の間に、挿入許容空間６５が設けられているため、椅子１の移動操作時に、上辺部１２Ａａの前面側の挿入許容空間６５に作業者の指先を挿入して取付基部６０Ｂａ，６０Ａａと上辺部１２Ａａとを容易に把持することができる。特に、この実施形態の場合、上辺部１２Ａａに特別な加工を施すことなく、上辺部１２Ａａの前面側に作業者の指先を差し込むことができるため、椅子１の製造コストの高騰も抑えることができる。
【００４１】
また、この実施形態に係る椅子１では、ハンガー６０Ｂとヘッドレスト６０Ａが取付基部６０Ｂａ，６０Ａａ同士で前後に重ね合わせて相互に結合可能にされるとともに、ハンガー６０Ｂとヘッドレスト６０Ａの手指挿入口６３，６２が前後方向でほぼ重なる構造とされているため、複数の付加機能部品を重ね合わせて設置する構造でありながら、取付基部６０Ｂａ，６０Ａａを上辺部１２Ａａと合せて容易に把持することができる。特に、この実施形態の例のように、ハンガー６０Ｂとヘッドレスト６０Ａの取付基部６０Ｂａ，６０Ａａを前後に重ねて相互に結合した場合には、作業者が順手握りで手を掛けても充分な前後厚み部分を安定して把持することができる。
【００４２】
ただし、この実施形態に係る椅子１の場合、ヘッドレスト６０Ａやハンガー６０Ｂは、一方のみを背凭れ５の上辺部１２Ａａに取り付けることもできる。
図９，図１０は、ヘッドレスト６０Ａを単体で背凭れ５の上辺部１２Ａａに取り付けた状態を示す図であり、図１１は、ハンガー６０Ｂを単体で背凭れ５の上辺部１２Ａａに取り付けた状態を示す図である。
ヘッドレスト６０Ａを単体で背凭れ５の上辺部１２Ａａに取り付ける場合には、ヘッドレスト６０Ａの取付基部６０Ａａの前面側の凸部６６Ａを上辺部１２Ａａの凹部２２に嵌入し、その状態で上述と同様のボルト締結によって取付基部６０Ａａを上辺部１２Ａａに固定する。
また、ハンガー６０Ｂを単体で背凭れ５の上辺部１２Ａａに取り付ける場合には、ハンガー６０Ｂの取付基部６０Ｂａの凸部６６Ｂを上辺部１２Ａａの凹部２２に嵌入し、その状態でボルト締結によって取付基部６０Ｂａを上辺部１２Ａａに固定する。
なお、ヘッドレスト６０Ａやハンガー６０Ｂを単体で背凭れ５の上辺部１２Ａａに取り付ける場合には、締結のためのボルトは、ヘッドレスト６０Ａとハンガー６０Ｂを重ねて上辺部１２Ａａに取り付ける場合のボルトよりも、軸長の短いものに交換することが望ましい。
【００４３】
上述のようにヘッドレスト６０Ａとハンガー６０Ｂのいずれか一方のみを背凭れ５の上辺部１２Ａａに取り付けた場合も、作業者による椅子１の移動操作の際には、ヘッドレスト６０Ａやハンガー６０Ｂの手指挿入口６２若しくは６３を通して、上辺部１２Ａａと取付基部６０Ａａ若しくは６０ＢＡとを合せて容易に把持することができる。
【００４４】
なお、この発明は上記の実施形態に限定されるものではなく、その要旨を逸脱しない範囲で種々の設計変更が可能である。例えば、上記の実施形態は、背凭れの上部にヘッドレストとハンガーが取り付けられるものであるが、背凭れの上部に取り付けられる付加機能部品は、ヘッドレストとハンガーに限定されるものではなく、また、取り付ける付加機能部品の数も３つ以上であっても良い。
また、上記の実施形態においては、背板１１と背凭れフレーム１２の上辺部１２Ａａとの間に挿入許容空間６５が設けられているが、背板１１と背凭れフレーム１２の上辺部１２Ａａとの間に挿入許容空間６５を設けることができない場合には、上辺部１２Ａａの前部側の上面と下面とに指掛け用の凹部を形成するようにしても良い。
【符号の説明】
【００４５】
５  背凭れ
１１  背板（背受け板）
１２  背凭れフレーム
１２Ａａ  上辺部（横梁）
６０Ａ  ヘッドレスト（付加機能部品）
６０Ａａ  取付基部
６０Ａｂ  ヘッドレスト本体部（付加機能部品本体部）
６０Ａｃ  連結支柱部
６０Ｂ  ハンガー（付加機能部品）
６０Ｂａ  取付基部
６０Ｂｂ  ハンガー本体部（付加機能部品本体部）
６０Ｂｃ  連結支柱部
６２，６３  手指挿入口
６５  挿入許容空間
【図１】
2015217049.tif 000003
【図２】
2015217049.tif 000004
【図３】
2015217049.tif 000005
【図４】
2015217049.tif 000006
【図５】
2015217049.tif 000007
【図６】
2015217049.tif 000008
【図７】
2015217049.tif 000009
【図８】
2015217049.tif 000010
【図９】
2015217049.tif 000011
【図１０】
2015217049.tif 000012
【図１１】
2015217049.tif 000013